【事件の表示】
　特願２００１−　６６３７６「音声合成装置及び音声合成方法、並びにプログラムおよび記録媒体」拒絶査定不服審判事件〔平成１４年　９月２０日出願公開、特開２００２−２６８６９９〕について、次のとおり審決する。
【結　論】
　本件審判の請求は、成り立たない。
【理　由】
第１　手続の経緯
　本願は、平成１３年３月９日の出願であって、平成２２年５月２７日付けで拒絶査定がなされ、これに対し、平成２２年９月１日に拒絶査定に対する審判請求がなされるとともに、同日付で手続補正がなされたものである。その後、当審による平成２４年１月６日付けの拒絶理由通知に対して、平成２４年３月９日付けで手続補正がなされている。
　
第２　本願発明について
１．本願発明
　本願の請求項に係る発明は、平成２４年３月９日付けの手続補正によって補正された特許請求の範囲の請求項１〜７に記載された事項により特定されるものと認められるところ、その請求項１（以下、「本願発明」という。）に係る発明は以下のとおりのものである。
「【請求項１】所定の情報を用いて音声合成を行う音声合成装置であって、
　前記所定の情報のうち、合成音の音質に影響する音質影響情報を、マイク、カメラ、およびタッチセンサからの入力により認識される外部状態に基づいた情報である感情の状態を表す状態情報に基づいて生成する音質影響情報生成手段と、
　前記感情の状態に基づいて、前記合成音を構成する波形データの特性を変更するための変換パラメータを生成する変換パラメータ生成手段と、
　前記変換パラメータに基づいて、前記合成音を構成する波形データを変換するデータ変換手段と、
　前記データ変換手段により変換された前記波形データの合成音を生成する際に、前記音質影響情報を用いて、音質を制御した前記合成音を生成する音声合成手段と
　を備え、
　前記データ変換手段は、前記変換パラメータに基づいて、スペクトルを周波数軸方向に伸縮させる処理と、高域を強調または抑圧する処理とのうちの少なくとも一方の処理を施すことにより、前記波形データを変換する
　ことを特徴とする音声合成装置。」
　
２．当審が通知した拒絶理由
　当審が平成２４年１月６日付けで通知した拒絶理由は、本願発明は、刊行物１（特開２０００−１８７４３５号公報）に記載された発明、刊行物３（特開２００１−３４２８０号公報）に記載された発明、及び刊行物４（特開２００１−２５９８４号公報）に記載された発明に基づいて当業者が容易に発明をすることができたものであるというものである。
　
３．引用刊行物
３−１　当審が平成２４年１月６日付けで通知した拒絶理由に引用された刊行物１には、次の事項が記載されている。なお、下線は当審が付したものである。
（１）
「【０００３】
【発明が解決しようとする課題】ところで実際のペットにおいては、その日の体調、周囲の環境等により種々に異なる挙動を示す。また飼い主自体についてもこれを認識し、飼い主と飼い主以外とでは異なる挙動を示す。さらに学習により挙動が変化することもある。
【０００４】これら実際のペットにおける各種挙動を電子ペットにおいても再現することができれば、電子ペットを一段と身近な親しみ易いものとすることができると考ええられる。
【０００５】本発明は以上の点を考慮してなされたもので、さらに一段と身近な親しみ易いものとすることができる電子ペット装置、電子ペットを有する情報処理装置、携帯機器、情報処理手順を記録した記録媒体及び情報処理方法を提案しようとするものである。」
　
（２）
「【０１２４】（１−７）第１の実施の形態の動作
以上の構成において、
電子ペット装置１は（図１〜図３）、ユーザーがマイク７より音声を入力すると、中央処理ユニット１１の処理により構成される機能ブロックである音声認識部１１Ａにおいて、ＨＭＭ法によりこの音声が音声認識処理される。
【０１２５】電子ペット装置１においては、このようにして生成された音声認識結果であるテキストデータが、体調変更部１１Ｃに入力され、ここでこの体調変更部１１Ｃにより、現在の体調を示す５つの要素「疲れ」、「飢え」、「渇き」、「病気」、「眠気」（図４）により構成される体調データ１６Ｂが音声に含まれる単語に応じて変更される。すなわち例えば音声認識結果により食べ物が与えられた場合、「飢え」の変数が低減され、また音声認識結果により飲み物が与えられた場合、「渇き」の変数が低減される。
【０１２６】これにより電子ペット装置１においては、ユーザーの音声入力により体調が変化するようになされている。さらにタイマー１１Ｂを基準にした体調変更部１１Ｃの処理によっても、これら５つの要素に徐々に変更が加えられる。これにより電子ペット装置１においては、これら５つの要素による体調がユーザーからの音声入力により、また時間経過により変化し、この５つの要素を基準にして音声入力に対して応答を生成することにより、ユーザーの音声に対する応答に電子ペットの体調が反映されるようになされている。
【０１２７】これとは別に、
音声認識結果は、感情変更部１１Ｄに与えられ、ここでこの音声認識結果に含まれる単語に応じて現在の感情データ１６Ｃが変更される
【０１２８】これにより電子ペット装置１においては、ユーザーの音声入力に応じて電子ペットの感情が変化するようになされている。また電子ペット装置１においては、先の体調データ１６Ｂ、この感情データ１６Ｃを参考にして音声認識結果に応じて応答を作成することにより、電子ペットの反応に、電子ペットの体調、感情が反映される。
【０１２９】すなわち
電子ペット装置１において、音声認識結果は、応答文作成部１１Ｅに入力され、この応答文作成部１１Ｅにおいて、パターンデータ１６Ｅに記述されたルールに従って音声認識結果に対応する応答文が作成される
【０１３０】
電子ペット装置１においては、この応答文による応答に対して、対応する音声による応答が音声合成部１１Ｆにより生成されてスピーカ６より出力され
【０１３１】
このようにしてパターンデータ１６Ｅにより応答を作成する際に、パターンデータ１６Ｅにおいては、体調データ１６Ｂ、感情データ１６Ｃに応じて異なる応答を発生するようにルールが記述され、電子ペット装置１においては、このルールに従って応答を生成し、これによりユーザーへの応答に電子ペットの体調、感情が反映される。
　
　上記（１）〜（２）の記載を総合すれば、刊行物１には、以下の発明（以下、「刊行物１発明」という。）が記載されている。
「ユーザーがマイク７より音声を入力すると、中央処理ユニット１１の処理により構成される機能ブロックである音声認識部１１Ａにおいて、音声認識処理され、音声認識結果は、応答文作成部１１Ｅに入力され、この応答文作成部１１Ｅにおいて、パターンデータ１６Ｅに記述されたルールに従って音声認識結果に対応する応答文が作成され、対応する音声による応答が音声合成部１１Ｆにより生成されてスピーカ６より出力される電子ペット装置であって、
　前記音声認識結果は、感情変更部１１Ｄに与えられ、ここでこの音声認識結果に含まれる単語に応じて現在の感情データ１６Ｃが変更され、
　パターンデータ１６Ｅにより応答を作成する際に、パターンデータ１６Ｅにおいては、体調データ１６Ｂ、感情データ１６Ｃに応じて異なる応答を発生するようにルールが記述され、このルールに従って応答を生成し、これによりユーザーへの応答に電子ペットの体調、感情が反映される電子ペット装置。」
　
３−２　当審が平成２４年１月６日付けで通知した拒絶理由に引用された刊行物３には、次の事項が記載されている。なお、下線は当審が付したものである。
（１）
「【０００６】本発明は、音声合成用の話者音声データを電子メールに添付してもデータトラフィックの増大を招かず、また電子メールが読み上げられる音声を自由に選択することができ、さらに電子メールに感情を添付することができる電子メール受信装置、および、音声合成用の話者音声データを電子メールに添付してもデータトラフィックの増大を招かず、また電子メールが読み上げられる音声を自由に選択することができ、さらに電子メールに感情を添付することができる電子メールシステムを提供することを目的とする。」
　
（２）
「【００２９】図１において、１は電子メールシステムを構成する電子メール送信装置、２は同じく電子メールシステムを構成する電子メール受信装置、１１はテキストデータを入力するためのテキストデータ入力装置、１２は音声を入力して音声データを出力する音声入力装置、１３は電子メール送信者の声質を解析してピッチや母音ホルマント等の基本的な声質データを得る声質分析部、１４は声質分析部から出力される声質データを電子メール本文に添付するデータ合成部、１５は電子メールを送信するメール送信装置、１６はメモリ、１７は性別・年齢・声の高低等の声質パラメータを選択するための声質パラメータ選択部、１８は喜び・怒り・悲しみ等の感情パラメータを指定するための感情パラメータ指定部、
２１は送られてくる電子メールを受信するメール受信装置、２２は受信した電子メールからテキストデータと声質データと声質パラメータ、感情パラメータとを分離するデータ分離部、２３は電子メールのテキストデータから音声合成規則を算出するテキスト解析部、２４はあらかじめ用意された音声合成の音韻データ群を電子メールに添付された基本的な声質データを用いて電子メール送信者の声質に適応化させる声質変換部、２５は合成単位、音韻データ群、感情パラメータ等を記憶するメモリ、２６は適応化された音韻データ群をテキスト解析部２３で算出された音声合成規則に従って合成する音声合成部、２７は合成音声を出力する音声出力部である。
　
（３）
「【００３７】音声合成単位のパラメータ時系列について補足説明する。上記音声合成単位のパラメータにおいて、音源モデルは音源の韻律（音声の長短や抑揚などの配列の仕方により表される調子）の特徴をあらわし、声道モデルは音韻の特徴をあらわす。音源モデルは音声ピッチ（基本周波数）から成り、声道モデルは音声のスペクトル情報もしくはホルマントと呼ばれる周波数軸上のエネルギー分布により決定される。従って、電子メール送信者の代表的な音声ピッチとスペクトル情報を取得し、これを用いて音声合成装置（これは図１で構成要素２２〜２６に相当する）が蓄積する合成単位パラメータ時系列を変形することにより、音声の個人適応化を実現する。」
　
（４）
「【００５２】（実施の形態４）本発明の実施の形態４による電子メールシステムは図１、図２と同様の構成であるので、その説明を省略する。
【００５３】このように構成された電子メールシステムについて、その動作を図９、図１０を用いて説明する。図９は感情パラメータを添付する電
子メール送信装置１の動作を示すフローチャートであり、図１０は添付した声質パラメータと感情パラメータに基づいて合成音声を出力する電子メール受信装置２
【００５４】図９において、電子メールの読み上げ音声の感情を指定するためのウィンドウが感情パラメータ指定部１８としての表示装置１９に現われ、電子メール送信者は感情パラメータ（喜び／怒り／悲しみ等）を指定する（Ｓ６１）。そして、データ合成部１４は、実施の形態３における声質パラメータに加え又は単独に、感情パラメータを電子メールに記入し（Ｓ６２）、メール送信装置１５により送信する。
【００５５】図１０において、ステップ７１〜７４（Ｓ７１〜Ｓ７４）は図８のステップ５１〜５４と同様であり、その説明は省略する。ステップ７５において、
データ分離部２２は、読み上げ音声の感情パラメータ（喜び／怒り／悲しみ等）が含まれているかどうか検出する。
感情パラメータが含まれている場合、指定された感情パラメータに従い、声質変換部２４は音韻データを変更し、テキスト解析部２３は音声合成規則を変更する（Ｓ７６）。例えば怒りの感情では全体的に声を高くし、語尾を強調する。悲しみの感情では全体的に声を低くし、語尾を弱くする。
音声合成部２６は、上記の処理を加えた音韻データを音声合成規則に従って合成する（Ｓ７７）。そして、合成された音声信号を出力し、電子メールを読み上げる（Ｓ７８）
【００５６】以上のように本実施の形態によれば、電子メールを送信する電子メール送信装置１と電子メールを受信する電子メール受信装置２とを有する電子メールシステムにおいて、少なくとも喜び・怒り・悲しみ等の感情パラメータが添付された電子メールを受信するメール受信装置２１と、感情パラメータに従って合成音声に抑揚を加える音声合成部２６とを有し、電子メール送信装置１は、喜び・怒り・悲しみ等の感情パラメータを指定するための感情パラメータ指定部１８と、少なくとも喜び・怒り・悲しみ等の感情パラメータが添付された電子メールを送信するメール送信装置１５とを有するようにしたことにより、任意に指定した喜び・怒り・悲しみ等の感情パラメータを反映した合成音声を出力することができる。」
　
　上記（１）〜（４）の記載を総合すれば、刊行物３には、以下の発明（以下、「刊行物３発明」という。）が記載されている。
「受信した電子メールからテキストデータと声質データと声質パラメータ、感情パラメータとを分離するデータ分離部２２と、電子メールのテキストデータから音声合成規則を算出するテキスト解析部２３と、あらかじめ用意された音声合成の音韻データ群を電子メールに添付された基本的な声質データを用いて電子メール送信者の声質に適応化させる声質変換部２４と、合成単位、音韻データ群、感情パラメータ等を記憶するメモリ２５と、適応化された音韻データ群をテキスト解析部２３で算出された音声合成規則に従って合成する音声合成部２６と、合成音声を出力する音声出力部２７とを備えたメール受信装置であって、
　該メール受信装置は、声質パラメータと感情パラメータに基づいて合成音声を出力するものであり、
　音声合成単位のパラメータにおいて、音源モデルは音源の韻律（音声の長短や抑揚などの配列の仕方により表される調子）の特徴をあらわし、声道モデルは音韻の特徴をあらわすものであり、音源モデルは音声ピッチ（基本周波数）から成り、声道モデルは音声のスペクトル情報もしくはホルマントと呼ばれる周波数軸上のエネルギー分布により決定されるものであって、
　データ分離部２２は、読み上げ音声の感情パラメータ（喜び／怒り／悲しみ等）が含まれているかどうか検出し、
　感情パラメータが含まれている場合、指定された感情パラメータに従い、前記声質変換部２４は、音韻データを変更し、テキスト解析部２３は、音声合成規則を変更し、例えば怒りの感情では全体的に声を高くし、語尾を強調し、悲しみの感情では全体的に声を低くし、語尾を弱くするものであり、
　音声合成部２６は、上記の処理を加えた音韻データを音声合成規則に従って合成し、合成された音声信号を出力し、電子メールを読み上げる電子メール受信装置。」
　
３−３　当審が平成２４年１月６日付けで通知した拒絶理由に引用された刊行物４には、次の事項が記載されている。なお、下線は当審が付したものである。
（１）
「【０００３】
【発明が解決しようとする課題】ところでかかるペットロボットにおいて、例えばユーザからの「叩く」や「撫でる」といった働きかけに対して「怒り」や「喜び」などの感情を表現し得るようにすることができれば、ユーザがペットロボットとコミュニケーションを円滑に行うことができ、その分ペットロボットに対するユーザの愛着心及び好奇心を向上させて、エンターテインメント性をより一層向上させ得るものと考えられる。
【０００４】本発明は以上の点を考慮してなされたもので、エンターテインメント性をより一層向上させ得るロボット装置及びその制御方法並びに記録媒体を提案しようとするものである。
【０００５】
【課題を解決するための手段】かかる課題を解決するため本発明においては、
ロボット装置において、外見上の目として機能する発光手段と、外部の状況及び又は外部からの入力を検出する外部センサと、外部センサの出力に基づいて、感情を表現するように発光手段を点滅させる制御手段とを設けるようにした。この結果このロボット装置によれば、発光手段の発光状態に基づいてユーザが当該ロボット装置の感情を容易に認識することができる。
　
（２）
「【００１１】また
頭部ユニット４には、このペットロボット１の実質的な「目」として機能するＣＣＤ（Charge Coupled Device ）カメラ１５、「耳」として機能するマイクロホン１６及びタッチセンサ１７などからなる外部センサ部１８
　
（３）
「【００２９】（２−１）状態認識部３０の構成
状態認識部３０は、外部センサ部１８（図２）から与えられる外部情報信号Ｓ１と、内部センサ部１４（図２）から与えられる内部情報信号Ｓ２とに基づいて特定の状態を認識し、認識結果を状態認識情報Ｓ１０として感情・本能モデル部３１及び行動決定部３２に通知する。
【００３０】実際上、
状態認識部３０は、外部センサ部１８のＣＣＤカメラ１５（図２）から与えられる画像信号Ｓ１Ａ（図２）を常時監視し、
認識結果を感情・本能モデル部３１及び行動決定部３２に通知する。
【００３１】また
状態認識部３０は、マイクロホン１６（図２）から与えられる音声信号Ｓ１Ｂ（図２）を常時監視し、
認識結果を感情・本能モデル部３１及び行動決定部３２に通知する。
【００３２】さらに
状態認識部３０は、タッチセンサ１７（図２）から与えられる圧力検出信号Ｓ１Ｃ（図２）を常時監視し、
認識結果を感情・本能モデル部３１及び行動決定部３２に通知する。
【００３３】さらに状態認識部３０は、内部センサ部１４（図２）の温度センサ１３（図２）から与えられる温度検出信号Ｓ２Ｂ（図２）を常時監視し、当該温度検出信号Ｓ２Ｂに基づいて所定以上の温度を検出したときには「内部温度が上昇した」と認識し、認識結果を感情・本能モデル部３１及び行動決定部３２に通知する。
【００３４】（２−２）感情・本能モデル部３１の構成
感情・本能モデル部３１は、「喜び」、「悲しみ」、「驚き」、「恐怖」、「嫌悪」及び「怒り」の合計６つの情動について、各情動ごとにその情動の強さを表すパラメータを保持している。
【００３５】具体的に感情・本能モデル部３１は、状態認識情報Ｓ１０に基づき得られる認識結果及び行動決定情報Ｓ１２に基づく出力行動がその情動に対して作用する度合い（予め設定されている）と、他の情動から受ける抑制及び刺激の度合いと、経過時間となどに基づいて所定の演算式により算出されるその情動の変化量をΔＥ〔ｔ〕、現在のその情動のパラメータ値をＥ〔ｔ〕、認識結果等に応じてその情動を変化させる割合を表す係数をｋｅ  として、所定周期で次式
【００３６】
【数１】（省略）
【００３７】を用いて次の周期におけるその情動のパラメータ値Ｅ〔ｔ＋１〕を算出する。
【００３８】そして感情・本能モデル部３１は、この演算結果を現在のその情動のパラメータ値Ｅ〔ｔ〕と置き換えるようにしてその情動のパラメータ値を更新する。なお各認識結果や各出力行動に対してどの情動のパラメータ値を更新するかは予め決められており、例えば「叩かれた」といった認識結果が与えられた場合には「怒り」の情動のパラメータ値が上がると共に「喜び」の情動のパラメータが下がり、「撫でられた」といった認識結果が与えられた場合には「喜び」の情動のパラメータ値が上がると共に「悲しみ」の情動のパラメータ値が下がる。なお各情動についてのより具体的な説明及びこれら情動が変化する具体的な要因の一例を図６に示す。」
　
（４）
「【００４７】（２−３）行動決定部３２の構成
行動決定部３２は、状態認識部３０から与えられる状態認識情報Ｓ１０と、感情・本能モデル部３１における各情動及び各欲求のパラメータ値と、予めメモリ１０Ａに格納された行動モデルと、時間経過となどに基づいて次の行動を決定し、決定結果を行動決定情報Ｓ１２として感情・本能モデル部３１及び行動生成部３３に出力する。
　
（５）
「【００５７】（２−３）行動生成部３３の処理
行動生成部３３は、行動決定部から与えられる行動決定情報Ｓ１２に基づいて、必要なアクチュエータ２１1 〜２１n （図２）に駆動信号Ｓ１３1 〜Ｓ１３nを送出したり、スピーカ２０（図２）に必要な音声信号Ｓ３を送出したり、ＬＥＤ１９にＬＥＤ駆動信号Ｓ４を送出する。
【００５８】これにより
行動生成部３３は、この駆動信号Ｓ１３1 〜Ｓ１３n に基づいて必要なアクチュエータ２１1 〜２１n を所定状態に駆動させたり、音声信号３に基づく音声をスピーカ２０から出力させたり、ＬＥＤ駆動信号Ｓ３に基づく点滅パターンでＬＥＤ１９を点滅させる。
　なお、図２を参照すると、ＬＥＤを駆動する信号は「Ｓ４」であって、図２に示される「Ｓ３」はスピーカを駆動する信号であるので、段落【００５８】の「ＬＥＤ駆動信号Ｓ３」は「ＬＥＤ駆動信号Ｓ４」の誤記である。
　
（６）
「【００７０】このようにしてこのペットロボット１においては、「撫でられた」ことに対する「喜び」の感情や、「叩かれた」ことに対する「怒り」の感情、及びある特定の認識結果に基づく「驚き」の感情を、各赤色ＬＥＤ１９Ｒ1 、１９Ｒ2 及び又は各緑色ＬＥＤ１９Ｇ1 、１９Ｇ2 の点滅によって表情として表現し得るようなされている。」
　
（７）
　上記（１）〜（６）の記載を総合すれば、刊行物４には、以下の発明（以下、「刊行物４発明」という。）が記載されている。
「外見上の目として機能する発光手段と、外部の状況及び又は外部からの入力を検出する外部センサと、外部センサの出力に基づいて、感情を表現するように発光手段を点滅させる制御手段とを設けたペットロボットであって、
　発光手段の発光状態に基づいてユーザが当該ペットロボットの感情を容易に認識することができるものであり、
　頭部ユニット４には、このペットロボット１の実質的な「目」として機能するＣＣＤカメラ１５、「耳」として機能するマイクロホン１６及びタッチセンサ１７などからなる外部センサ部１８とが配設されており、
　状態認識部３０は、外部センサ部１８から与えられる外部情報信号Ｓ１と、内部センサ部１４から与えられる内部情報信号Ｓ２とに基づいて特定の状態を認識し、認識結果を状態認識情報Ｓ１０として感情・本能モデル部３１及び行動決定部３２に通知するものであって、
　前記状態認識部３０は、外部センサ部１８のＣＣＤカメラ１５から与えられる画像信号Ｓ１Ａを常時監視して得た認識結果と、マイクロホン１６から与えられる音声信号Ｓ１Ｂを常時監視して得た認識結果と、タッチセンサ１７から与えられる圧力検出信号Ｓ１Ｃを常時監視して得た認識結果とを感情・本能モデル部３１及び行動決定部３２に通知し、
　行動決定部３２は、状態認識部３０から与えられる状態認識情報Ｓ１０と、感情・本能モデル部３１における「喜び」、「悲しみ」、「驚き」、「恐怖」、「嫌悪」及び「怒り」の合計６つの情動についての各情動ごとにその情動の強さを表すパラメータ値及び各欲求のパラメータ値と、予めメモリ１０Ａに格納された行動モデルと、時間経過となどに基づいて次の行動を決定し、決定結果を行動決定情報Ｓ１２として感情・本能モデル部３１及び行動生成部３３に出力し、
　行動生成部３３は、行動決定部から与えられる行動決定情報Ｓ１２に基づいて、ＬＥＤ１９にＬＥＤ駆動信号Ｓ４を送出し、ＬＥＤ駆動信号Ｓ４に基づく点滅パターンでＬＥＤ１９を点滅させるものであるペットロボット。」
　
４．対比・判断
（１）本願発明と刊行物１発明との対比
　刊行物１発明の電子ペット装置は、マイクから入力された音声の音声認識結果に含まれる単語に応じて感情データ１６Ｃが変更され、該感情データ１６Ｃに応じて異なる応答を発生するように記述されたルールに従って、音声認識結果に対応する応答文が作成され、対応する音声による応答が音声合成部１１Ｆにより生成されてスピーカ６より出力されるものである。
　刊行物１発明は、感情データ１６Ｃに応じて、音声認識結果に対応する応答文が作成され、対応する音声による応答が音声合成部１１Ｆにより音声合成されるのであるから、刊行物１発明の「感情データ１６Ｃ」は、本願発明の「所定の情報」に相当し、刊行物１発明は、これを用いて音声合成部が音声合成するものである。
　それゆえ、本願発明と刊行物１発明とは、「所定の情報を用いて音声合成を行う音声合成装置」である点で一致する。
　
　刊行物１発明の「感情データ１６Ｃ」は、マイクから入力された音声の音声認識結果に基づいて変更されるものであり、マイクはセンサの一種であるから、刊行物１発明の「感情データ１６Ｃ」は、センサからの入力により認識される外部状態に基づいた情報である感情の状態であるということができる。
　本願発明は、感情の状態に基づいて、合成音を構成する波形データが変換され、該波形データの合成音を生成する際に、音質を制御した合成音が生成されるもの、すなわち、感情の状態に基づいて、合成音の音質が変わるのに対して、刊行物１発明は、感情の状態に基づいて、合成音の音質は変わらずに発音される応答文が変わる点では相違するが、本願発明も刊行物１発明も、センサからの入力により認識される外部状態に基づいた情報である感情の状態に基づいた音声を合成する点で共通する。
　
　したがって、本願発明と刊行物１発明とは、以下の点で一致し、相違する。
［一致点］
「所定の情報を用いて音声合成を行う音声合成装置であって、
　センサからの入力により認識される外部状態に基づいた情報である感情の状態に基づいた音声を合成する音声合成装置。」
　
［相違点１］
　本願発明は、
　所定の情報のうち、合成音の音質に影響する音質影響情報を、感情の状態を表す状態情報に基づいて生成する音質影響情報生成手段と、
　前記感情の状態に基づいて、前記合成音を構成する波形データの特性を変更するための変換パラメータを生成する変換パラメータ生成手段と、
　前記変換パラメータに基づいて、前記合成音を構成する波形データを変換するデータ変換手段と、
　前記データ変換手段により変換された前記波形データの合成音を生成する際に、前記音質影響情報を用いて、音質を制御した前記合成音を生成する音声合成手段と
　を備え、
　前記データ変換手段は、前記変換パラメータに基づいて、スペクトルを周波数軸方向に伸縮させる処理と、高域を強調または抑圧する処理とのうちの少なくとも一方の処理を施すことにより、前記波形データを変換するのに対して、
　刊行物１発明は、感情の状態に基づいた音声を合成するものの、本願発明のような構成を備えていない点。
　
［相違点２］
　本願発明は、感情の状態を表す状態情報が、マイク、カメラ、およびタッチセンサからの入力により認識される外部状態に基づいた情報であるのに対して、
　刊行物１発明は、感情の状態を表す状態情報が、マイクからの入力により認識される外部状態に基づいた情報である点。
　
 
（２）相違点に対する当審の判断
［相違点１について］
　本願発明における「音質影響情報」は、マイクを含む「センサからの入力により認識される外部状態に基づいた情報である感情の状態を表す状態情報に基づいて生成」されるものであって、「波形データの合成音を生成する際に」用いられて、「音声合成手段」が「音質を制御した前記合成音を生成する」ものである。
　また、本願発明における「変換パラメータ」は、「前記感情の状態に基づいて、前記合成音を構成する波形データの特性を変更するためのもの」であって、「データ変換手段」が「前記変換パラメータに基づいて、スペクトルを周波数軸方向に伸縮させる処理と、高域を強調または抑圧する処理とのうちの少なくとも一方の処理を施すことにより、波形データを変換する」ものである。
　
　一方、刊行物３発明は、感情パラメータに基づいて合成音声を出力するメール受信装置であって、そのために、
　「音質変換部２４」が、「指定された感情パラメータに従い、」「音韻データを変更し、」
　「テキスト解析部２３」が、「指定された感情パラメータに従い、」「音声合成規則を変更」するものである。
　また、刊行物３発明は、「音声合成単位のパラメータにおいて、音源モデルは音源の韻律（音声の長短や抑揚などの配列の仕方により表される調子）の特徴をあらわし、声道モデルは音韻の特徴をあらわすものであり、音源モデルは音声ピッチ（基本周波数）から成り、声道モデルは音声のスペクトル情報もしくはホルマントと呼ばれる周波数軸上のエネルギー分布により決定されるもの」である。
　これらを総合すると、刊行物３発明において、「指定された感情パラメータに従い、」「音韻データを変更」する「音質変換部２４」は、音声ピッチからなる音源モデルにおいて音源の韻律を決定するものである。また、刊行物３発明における「テキスト解析部２３」は、「指定された感情パラメータに従い、」「音声合成規則を変更」するものであって、声道モデルにおいて音声のスペクトル情報もしくはホルマントを決定するものである。
　
　それゆえ、刊行物３発明の「声質変換部２４」が「指定された感情パラメータに従い、」「音韻データ」を変更することは、本願発明の「音声合成手段」が「前記データ変換手段により変換された前記波形データの合成音を生成する際に、前記音質影響情報を用いて、音質を制御した前記合成音を生成する」ことに相当する。
　また、刊行物３発明において「テキスト解析部２３」が音声合成規則を変更し、音声のスペクトル情報もしくはホルマントを決定することは、本願発明において「データ変換手段」が「変換パラメータに基づいて、スペクトルを周波数軸方向に伸縮させる処理と、高域を強調または抑圧する処理とのうちの少なくとも一方の処理を施すことにより、」「前記合成音を構成する波形データを変換する」ことに相当する。
　
　刊行物３発明においては、本願発明における「音質影響情報」及び「変換パラメータ」が、単に「感情パラメータ」とされているだけであって、明示的に分離されていない。
　しかし、本願発明においても、「音質影響情報」及び「変換パラメータ」がどのように生成されるかについて、特許請求の範囲においては、「感情の状態を表す状態情報に基づいて」あるいは「感情の状態に基づいて」と規定されているだけである。そこで、本願の明細書を参照すると、段落【００９３】に「パラメータ生成部４３は、モデル記憶部５１からの状態情報のうちの感情モデルに基づいて、合成制御パラメータおよび変換パラメータを生成する。」と記載されているだけであって（明細書の「合成制御パラメータ」は、特許請求の範囲の「音質影響情報」に対応する。）、感情モデルからどのように両パラメータを生成するのかについての記載はない。そうすると、本願発明における「音質影響情報」及び「変換パラメータ」は、単に「感情の状態」から適宜導き出される情報あるいはパラメータにすぎないものである。
　そして、刊行物３発明は、「指定された感情パラメータに従い」、本願発明の「音声合成手段」及び「データ変換手段」に相当する「声質変換部２４」及び「テキスト解析部２３」が、本願発明と同じ機能を奏するものであるから、刊行物３発明において、明示的に「音質影響情報」及び「変換パラメータ」が用いられてはいないが、実質的に本願発明と同じ情報、パラメータを用いているといえる。
　
　結局のところ、［相違点１］として摘記した、本願発明における、
「所定の情報のうち、合成音の音質に影響する音質影響情報を、感情の状態を表す状態情報に基づいて生成する音質影響情報生成手段と、
　前記感情の状態に基づいて、前記合成音を構成する波形データの特性を変更するための変換パラメータを生成する変換パラメータ生成手段と、
　前記変換パラメータに基づいて、前記合成音を構成する波形データを変換するデータ変換手段と、
　前記データ変換手段により変換された前記波形データの合成音を生成する際に、前記音質影響情報を用いて、音質を制御した前記合成音を生成する音声合成手段と
　を備え、
　前記データ変換手段は、前記変換パラメータに基づいて、スペクトルを周波数軸方向に伸縮させる処理と、高域を強調または抑圧する処理とのうちの少なくとも一方の処理を施すことにより、前記波形データを変換する」
点は、刊行物３発明が行っていることと実質的に同一のことである。
　
　そして、感情によって音高や音の質が変わることは日常的に経験されることを考慮すれば、刊行物１発明において、感情データに応じて異なる応答文の合成音を生成する際に、刊行物３発明の手段を採用することに格別困難な点はない。
　
［相違点２について］
　感情データの生成を、マイクから入力された音声の音声認識結果だけでなく、カメラやタッチセンサからの入力にも基づいて行うことは、刊行物４発明のように公知のことであるから、刊行物１発明において、マイクだけでなく、カメラやタッチセンサからの入力によって感情の状態を生成することにも格別困難な点はない。
　
　そして、これらの相違点を総合的に考慮しても、当業者が推考し難い格別のものであるとすることはできない。
　
第３　むすび
　以上のとおり、本願発明は、刊行物発明１、刊行物３発明、及び刊行物４発明に基いて当業者が容易に発明をすることができたものであるので、特許法第２９条第２項の規定により特許を受けることができない。
　したがって、他の請求項に係る発明について検討するまでもなく、本願は、拒絶すべきものである。
　よって、結論のとおり審決する。